(57)【要約】【課題】  テレビジョン放送の選局操作時におけるブランキング期間や外部入力の入力切替操作時における入力切替期間でのミュート時間が長引いても、ユーザに対しその期間の長さを意識させてしまうことがないようにする。【解決手段】  中央制御部９により外部からの選局操作又は入力切替操作の指示に基づき、選局処理又は入力切替処理が行われるとともに、選局処理又は入力切替処理が完了するまでの間、映像処理部５に対し液晶パネル７によってたとえば選局操作又は入力切替操作が行われる直前のフレーム画像が表示されるような制御が行われるようにする。【選択図】  図１
2005303394.tif 000002
【特許請求の範囲】
【請求項１】
テレビジョン放送の映像音声信号を受信する受信部と、
外部の再生機器からの所定の映像音声情報を取り込む外部情報入力部と、
前記受信部からの映像音声信号と、前記外部情報入力部からの映像音声情報との入力の切り替えを行う切替部と、
前記映像音声信号内の映像信号又は前記映像音声情報内の映像情報を元に画像を表示する画像表示手段と、
前記画像表示手段に対しフレーム単位での画像表示が行われるように前記映像信号又は前記映像情報に対するデータ処理を行う映像処理手段と、
外部からの選局操作又は入力切替操作の指示に基づき、選局処理又は入力切替処理を行うとともに、前記選局処理又は入力切替処理が完了するまでの間、前記映像処理手段に対し前記画像表示手段が所定の表示を行うように制御する制御手段とを備える
ことを特徴とする液晶表示装置。
【請求項２】
前記制御手段は、前記映像処理手段に対し、前記選局処理又は入力切替処理直前のフレーム画像を前記画像表示手段に表示させるように制御することを特徴とする請求項１に記載の液晶表示装置。
【請求項３】
前記制御手段は、前記選局処理又は入力切替処理直前のフレーム画像を前記画像表示手段に表示させるように制御することに併せて前記画像表示手段の光源の光量を徐々に変動させるように制御することを特徴とする請求項２に記載の液晶表示装置。
【請求項４】
前記制御手段は、前記選局操作又は入力切替操作に対する処理が完了して、前記画像表示手段への新たな映像の出力処理が再開される直前に、単一色画面信号に基づいた画像が所定期間だけ表示されるように前記映像処理手段の映像処理を制御することを特徴とする請求項２又は３に記載の液晶表示装置。
【請求項５】
前記制御手段は、前記単一色画面信号に基づいた画像が所定期間だけ表示される間に前記画像表示手段の光源の光量を前記選局処理又は入力切替処理直前の明るさに復帰させるように制御することを特徴とする請求項４に記載の液晶表示装置。
【請求項６】
テレビジョン放送の映像音声信号の受信が行われる工程と、
外部の再生機器からの所定の映像音声情報が取り込まれる工程と、
前記映像音声信号と、前記映像音声情報との入力の切り替えが行われる工程と、
前記映像音声信号内の映像信号又は前記映像音声情報内の映像情報を元に画像が表示される工程と、
フレーム単位での画像表示が行われるように前記映像信号又は前記映像情報に対するデータ処理が行われる工程と、
外部からの選局操作又は入力切替操作の指示に基づき、選局処理又は入力切替処理が行われるとともに、前記選局処理又は入力切替処理が完了するまでの間、前記画像の表示が所定の表示となるように制御される工程とを有する
ことを特徴とする液晶表示方法。
【請求項７】
前記選局処理又は入力切替処理直前のフレーム画像が表示されるように制御される工程を有することを特徴とする請求項６に記載の液晶表示方法。
【請求項８】
前記選局処理又は入力切替処理直前のフレーム画像が表示されるように制御されることに併せて光源の光量が徐々に変動するように制御される工程を有することを特徴とする請求項７に記載の液晶表示方法。
【請求項９】
前記選局操作又は入力切替操作に対する処理が完了して、新たな映像の出力処理が再開される直前に、単一色画面信号に基づいた画像が所定期間だけ表示されるように制御される工程を有することを特徴とする請求項７又は８に記載の液晶表示方法。
【請求項１０】
前記単一色画面信号に基づいた画像が所定期間だけ表示される間に前記光源の光量が前記選局処理又は入力切替処理直前の明るさに復帰させるように制御される工程を有することを特徴とする請求項９に記載の液晶表示方法。
【発明の詳細な説明】
【技術分野】
【０００１】
本発明は、液晶パネルによって画像を表示する液晶表示装置に係り、特に、テレビジョン放送の選局操作時におけるブランキング期間や外部入力の入力切替操作時における入力切替期間での画像表示の制御を行う液晶表示装置に関する。
【背景技術】
【０００２】
近年、液晶表示装置は、液晶パネルの画面の大型化や高精細度化等が進み、表示される画像もパーソナルコンピュータやワードプロセッサ等に用いられる液晶表示装置のように主として静止画像を扱うものから、テレビジョン放送の表示が可能な液晶ＴＶのように動画像を扱う分野にも普及しつつある。
【０００３】
また、このような液晶表示装置では、一般的にブラウン管方式のインターレース走査とは異なり、プログレッシブ走査による画像表示が行われており、入力画像データがインターレース方式の映像信号である場合、これを、プログレッシブ方式の映像信号に変換（Ｉ／Ｐ変換）した上で、液晶パネルに供給するようになっている。ここで、Ｉ／Ｐ変換処理とは、たとえばインターレース信号の偶数フィールドと奇数フィールドのそれぞれに対しデータ補間し、偶数フィールドと奇数フィールドのそれぞれを１フレーム分の画像データとする処理を行うことである。
【０００４】
ところで、このような液晶表示装置では、液晶パネルの画面の大型化や高精細度化等が進むに伴い、たとえばテレビジョン放送の選局操作時におけるブランキング期間や外部入力の入力切替操作時における入力切替期間でのミュート時間が長引いてしまうことがある。
【０００５】
このような選局操作時や入力切替操作時におけるミュート時間が一瞬であればさほど気にはならないが、ある程度以上になると無信号、無音状態が継続してしまい、ユーザに対しその期間の長さを意識させてしまうことになる。言い換えれば、ユーザに対しその期間の長さを意識させてしまうということは、液晶表示装置の性能が劣るものとした誤解を生じさせてしまいかねないことになる。
【０００６】
このようなミュート時間が長引いてしまう要因の一つとして、スケーラが導入されたことが挙げられる。つまり、スケーラは、Ｉ／Ｐ変換処理されたプログレッシブ方式の映像信号の画像データを液晶パネルの表示サイズに合わせるように拡大・縮小の処理を施すものであり、画面の大型化に伴い、垂直ライン数あるいは水平ライン数が増加することで、液晶パネルの表示サイズに合わせるための画像データの処理に要する時間がある程度必要とするためである。
【０００７】
また、ハイビジョン画質対応のＤ４端子の導入もその要因に挙げられる。つまり、ハイビジョン画質対応の表示の場合、大容量フレーム画像の処理が必要となり、その処理に要する時間がミュート時間を長引かせることになる。
【０００８】
また、外部入力端子や外部メモリ用スロット等の増加もその要因に挙げられる。つまり、外部入力端子や外部メモリ用スロット等は、テレビジョン放送信号以外に外部のビデオデッキ、ＤＶＤプレイヤー等の再生機器からの所定の映像音声情報を取り込むためのものであり、これらの増加に伴って入力切替操作時には外部入力の判別処理が必要となり、その処理に要する時間がミュート時間を長引かせることになる。
【０００９】
このような選局操作時や入力切替操作時でのミュート時間の長さを意識させないようにするためには、たとえば特許文献１のように、映像無信号時や弱電界時においても安定してオンスクリーン表示させるようにする方法を適用することが考えられる。
【００１０】
すなわち、特許文献１に示されたものは、リモコンで現実の放送チャンネルが割り当てられていないチャンネル番号が選択された場合に、マイコンが検知して現実の放送チャンネルをチューナに選択させ、ＦＢＴ（フライバックトランス）にて得られる水平ＡＦＣ用パルスに所定のキャラクタ信号を同期させつつ送出することにより、本来表示される放送チャンネルに基づく映像が隠れて見えなくなるようにするとともに、文字等のキャラクタをオンスクリーン表示させるようにしたものである。
【特許文献１】特開平１１−３３１７２２号公報
【発明の開示】
【発明が解決しようとする課題】
【００１１】
ところが、特許文献１に示されたものは、同期信号が得られない映像無信号時や弱電界時に、同期分離された水平同期信号にノイズが混入することによってキャラクタ信号の水平位置が不安定となり、キャラクタ画面が乱れてしまうことを解消するために、水平ＡＦＣ用パルスに所定のキャラクタ信号を同期させつつ送出し、文字等のキャラクタをオンスクリーン表示させるようにしている。
【００１２】
すなわち、特許文献１は、上述したテレビジョン放送の選局操作時や外部入力の入力切替操作時における選局操作処理や入力切替処理に関わる無信号状態等での画像制御とは異なるため、特許文献１に示された技術を適用してミュート時間が長引いてしまうことをユーザに意識させないようにすることは困難である。
【００１３】
しかも、特許文献１に示されたものは、ブラウン管方式のインターレース走査によってテレビジョン放送の映像を表示するテレビジョン受像機であり、その技術をそのままプログレッシブ方式の映像信号に変換（Ｉ／Ｐ変換）してテレビジョン放送の映像を液晶パネルにより表示するようにした液晶表示装置に適用することも困難である。
【００１４】
解決しようとする問題点は、液晶パネルの画面の大型化や高精細度化等が進むに伴い、テレビジョン放送の選局操作時におけるブランキング期間や外部入力の入力切替操作時における入力切替期間でのミュート時間が長引いてしまい、ユーザに対しその期間の長さを意識させてしまうおそれがあるという点である。
【課題を解決するための手段】
【００１５】
本発明の液晶表示装置は、テレビジョン放送の映像音声信号を受信する受信部と、外部の再生機器からの所定の映像音声情報を取り込む外部情報入力部と、前記受信部からの映像音声信号と、前記外部情報入力部からの映像音声情報との入力の切り替えを行う切替部と、前記映像音声信号内の映像信号又は前記映像音声情報内の映像情報を元に画像を表示する画像表示手段と、前記画像表示手段に対しフレーム単位での画像表示が行われるように前記映像信号又は前記映像情報に対するデータ処理を行う映像処理手段と、外部からの選局操作又は入力切替操作の指示に基づき、選局処理又は入力切替処理を行うとともに、前記選局処理又は入力切替処理が完了するまでの間、前記映像処理手段に対し前記画像表示手段が所定の表示を行うように制御する制御手段とを備えることを特徴とする。
また、前記制御手段は、前記映像処理手段に対し、前記選局処理又は入力切替処理直前のフレーム画像を前記画像表示手段に表示させるように制御するようにすることができる。
また、前記制御手段は、前記選局処理又は入力切替処理直前のフレーム画像を前記画像表示手段に表示させるように制御することに併せて前記画像表示手段の光源の光量を徐々に変動させるように制御するようにすることができる。
また、前記制御手段は、前記選局操作又は入力切替操作に対する処理が完了して、前記画像表示手段への新たな映像の出力処理が再開される直前に、単一色画面信号に基づいた画像が所定期間だけ表示されるように前記映像処理手段の映像処理を制御するようにすることができる。
また、前記制御手段は、前記単一色画面信号に基づいた画像が所定期間だけ表示される間に前記画像表示手段の光源の光量を前記選局処理又は入力切替処理直前の明るさに復帰させるように制御するようにすることができる。
本発明の液晶表示方法は、テレビジョン放送の映像音声信号の受信が行われる工程と、外部の再生機器からの所定の映像音声情報が取り込まれる工程と、前記映像音声信号と、前記映像音声情報との入力の切り替えが行われる工程と、前記映像音声信号内の映像信号又は前記映像音声情報内の映像情報を元に画像が表示される工程と、フレーム単位での画像表示が行われるように前記映像信号又は前記映像情報に対するデータ処理が行われる工程と、外部からの選局操作又は入力切替操作の指示に基づき、選局処理又は入力切替処理が行われるとともに、前記選局処理又は入力切替処理が完了するまでの間、前記画像の表示が所定の表示となるように制御される工程とを有することを特徴とする。
また、前記選局処理又は入力切替処理直前のフレーム画像が表示されるように制御される工程を有するようにすることができる。
また、前記選局処理又は入力切替処理直前のフレーム画像が表示されるように制御されることに併せて光源の光量が徐々に変動するように制御される工程を有するようにすることができる。
また、前記選局操作又は入力切替操作に対する処理が完了して、新たな映像の出力処理が再開される直前に、単一色画面信号に基づいた画像が所定期間だけ表示されるように制御される工程を有するようにすることができる。
また、前記単一色画面信号に基づいた画像が所定期間だけ表示される間に前記光源の光量が前記選局処理又は入力切替処理直前の明るさに復帰させるように制御される工程を有するようにすることができる。
本発明の液晶表示装置では、受信部によりテレビジョン放送の映像音声信号を受信し、外部情報入力部により外部の再生機器からの所定の映像音声情報を取り込み、切替部により受信部からの映像音声信号と、外部情報入力部からの映像音声情報との入力の切り替えが行われ、画像表示手段により映像音声信号内の映像信号又は映像音声情報内の映像情報を元に画像が表示され、映像処理手段により画像表示手段に対しフレーム単位での画像表示が行われるように映像信号又は映像情報に対するデータ処理が行われ、制御手段により外部からの選局操作又は入力切替操作の指示に基づき、選局処理又は入力切替処理が行われるとともに、選局処理又は入力切替処理が完了するまでの間、映像処理手段に対し画像表示手段が所定の表示を行うように制御される。
【発明の効果】
【００１６】
本発明の液晶表示装置によれば、制御手段により外部からの選局操作又は入力切替操作の指示に基づき、選局処理又は入力切替処理が行われるとともに、選局処理又は入力切替処理が完了するまでの間、映像処理手段に対し画像表示手段が所定の表示を行うように制御されるようにしたので、テレビジョン放送の選局操作時におけるブランキング期間や外部入力の入力切替操作時における入力切替期間でのミュート時間が長引いても、ユーザに対しその期間の長さを意識させてしまうことを抑制することができる。
【発明を実施するための最良の形態】
【００１７】
本実施形態では、テレビジョン放送の選局操作時におけるブランキング期間や外部入力の入力切替操作時における入力切替期間でのミュート時間が長引いても、ユーザに対しその期間の長さを意識させてしまうことがないように、たとえば選局操作又は入力切替操作が行われる直前のフレーム画像を表示させておくようにした。
【実施例】
【００１８】
以下、本発明の実施の形態について説明する。
図１は、本発明に係る液晶表示装置の一実施形態の構成を示すブロック図、図２は、図１の液晶表示装置における映像処理部及び液晶パネルの詳細な構成の一例を示すブロック図、図３は、図１の液晶表示装置による液晶表示方法を説明するためのフローチャートである。
【００１９】
図１に示す液晶表示装置は、受信部２、外部情報入力部３、切替部４、映像処理部５、音声処理部６、液晶パネル７、中央制御部９、受光部１１、記憶部１３、バックライト１４、インバータ回路１５を備えている。ここで、映像処理部５により映像処理手段が構成され、液晶パネル７及びバックライト１４により画像表示手段が構成され、中央制御部９により制御手段が構成されている。
【００２０】
受信部２は、テレビジョン放送信号をアンテナ１を通して受信し、そのテレビジョン放送信号を検波することで、映像信号及び音声信号を出力するものである。外部情報入力部３は、テレビジョン放送信号以外に外部のビデオデッキ、ＤＶＤプレイヤー等の再生機器からの所定の映像音声情報を取り込むためのものであり、外部入力端子や外部メモリ用スロット等で構成することができる。
【００２１】
切替部４は、受信部２からの映像音声信号と、外部情報入力部３からの映像音声情報との入力の切り替えを行うとともに、映像信号を映像処理部５に出力し、音声信号を音声処理部６に出力するような切り替えを行うものである。
【００２２】
映像処理部５は、液晶パネル７に対し、プログレッシブ走査により画像表示を行わせるために、切替部４から得られる映像信号がインターレース方式の信号である場合、これを、プログレッシブ方式の映像信号に変換（Ｉ／Ｐ変換）する処理を行う機能を有している。ここで、Ｉ／Ｐ変換処理とは、たとえばインターレース信号の偶数フィールドと奇数フィールドのそれぞれに対しデータ補間し、偶数フィールドと奇数フィールドのそれぞれを１フレーム分の画像データとする処理を行うことである。
【００２３】
音声処理部６は、切替部４から得られる音声信号に基づき、スピーカ８から音を発生させる処理を行うものである。液晶パネル７は、一方の基板に形成された複数の走査ラインと、他方の基板に形成された複数の信号ラインとが格子状に配置され、さらに両基板間に異方性誘電率を有する液晶が封入され、各走査ラインと信号ラインとが交差する部分に印加される画像データに応じた電界の強さを調節して両基板を透過する光の量を調節することにより所望の画像を表示させるものである。また、各走査ラインと各信号ラインとが交差する部分の液晶を駆動する場合、各走査ラインと各信号ラインとが交差する近傍に配置した非線形素子（スイッチング素子）であるＴＦＴ（Thin Film Transistor）によって行うことが主流となっている。
【００２４】
中央制御部９は、ボタン操作が可能な操作部１０からの操作指示信号や、リモコン等の遠隔操作部１２からのキー信号に基づき、受信部２による受信動作、切替部４による切替動作、映像処理部５による映像処理動作、音声処理部６による音声処理動作、インバータ回路１５によるバックライト１４の点灯動作等を制御するものである。
【００２５】
また、中央制御部９は、操作部１０又は遠隔操作部１２からテレビジョン放送の選局操作や外部入力の入力切替操作の指示があると、その選局処理や入力切替処理が完了するまで液晶パネル７における表示を制御するが、その詳細は後述する。
【００２６】
受光部１１は、リモコン等の遠隔操作部１２からのキー信号を受け取り、中央制御部９に渡すものである。記憶部１３には、中央制御部９の動作に必要な所定のプログラムやＯＳＤ（On Screen Display）メニュー項目を表示するための各種文字あるいは記号のパターン等が記憶されている。
【００２７】
ここで、ＯＳＤメニュー項目は、液晶パネル７の画像の一部に上書き状態あるいは半透明状態で表示され、操作部１０や遠隔操作部１２からの指示により、画像の表示位置調整、画像サイズ調整、画像の色等の調整、音量調整、入力切替操作等を受け付けて設定するものであり、ここで設定された情報は記憶部１３に記憶される。そして、中央制御部９は、その設定された情報に基づいて、映像処理部５による映像処理動作等を制御する。
【００２８】
バックライト１４は、液晶パネル７の背面に取り付けられる光源である。インバータ回路１５は、中央制御部９からの制御信号に基づいてバックライト１４の点灯動作をコントロールするものである。
【００２９】
次に、図２により、映像処理部５及び液晶パネル７の詳細について説明する。
映像処理部５は、デコーダ５１、スケーラ５２、コントローラ５３、検出手段５４、同期分離回路５５を備えている。
【００３０】
デコーダ５１は、液晶パネル７に対し、プログレッシブ走査により画像表示を行わせるために、切替部４から得られる映像信号がインターレース方式の信号である場合、これを、上述したように、プログレッシブ方式の映像信号に変換（Ｉ／Ｐ変換）する処理等を行うものである。
【００３１】
スケーラ５２は、デコーダ５１によってＩ／Ｐ変換処理された画像データに対し、設定された大きさやアスペクト比となるようなデータ処理を行うものである。コントローラ５３は、スケーラ５２によって処理された画像データを元に、液晶パネル７の後述のゲートドライバやソースドライバであるドライバ７１の駆動をコントロールするものである。
【００３２】
なお、デコーダ５１、スケーラ５２、コントローラ５３は、共通のクロックバッファＩＣ（図示せず）から送られるクロック信号を元に、順次映像処理を行うようになっている。
【００３３】
検出手段５４は、映像信号にある垂直同期信号を検出するものである。同期分離回路５５は、映像信号から垂直同期信号あるいは水平同期信号を抽出するものである。液晶パネル７は、ドライバ７１及び絵素７２を備えている。
【００３４】
ドライバ７１は、ゲートドライバやソースドライバ等を備え、シフトレジスタ、ラッチ等によって構成されている。絵素７２は、ＴＦＴ素子、液晶層、カラーフィルタ、偏光板等から構成されるものである。各絵素７２の階調表示は、ソースドライバから送られた印加電圧に応じて的確に制御表示され、このソースドライバからの出力電圧はゲートドライバからの制御信号によるライン選択によって的確なラインに印加される。
【００３５】
次に、図３により、液晶表示装置における液晶表示方法について説明する。
まず、たとえばテレビジョン放送のあるチャンネルの映像が液晶パネル７に表示されている状態において（ステップＳ１）、操作部１０から選局操作信号あるいは入力切替操作信号が中央制御部９へ送られるか、又は同様の信号が遠隔操作部１２から受光部１１を介して中央制御部９へ送られると（ステップＳ２）、中央制御部９から映像処理部５に映像処理を中断させるための制御信号が出力される（ステップＳ３）。
【００３６】
これにより、映像処理部５では、コントローラ５３によるドライバ７１の駆動のコントロールが中断される。この場合、まず同期分離回路５５では、映像信号にある垂直同期信号を検出してからその同期分離動作が中断となる。また、検出手段５４では同期分離回路５５からの垂直同期信号を検出してからその検出動作が中断となる。
【００３７】
また、デコーダ５１では、切替部４から得られる映像信号がインターレース方式の信号である場合、その映像信号をプログレッシブ方式の映像信号に１フレーム分だけＩ／Ｐ変換処理してからその変換処理が中断となる。
【００３８】
また、スケーラ５２では、デコーダ５１によってＩ／Ｐ変換処理された画像データに対し、設定された大きさやアスペクト比となるようなデータ処理が１フレーム分だけ行われてからその処理が中断となる。
【００３９】
また、検出手段５４やスケーラ５２での処理が中断となると、そのタイミングでコントローラ５３によるドライバ７１の駆動のコントロールが中断される。なお、映像処理部５内のデコーダ５１、スケーラ５２、コントローラ５３は、共通のクロックバッファＩＣ（図示せず）から送られるクロック信号を元に、順次映像処理を行うため、各デコーダ５１、スケーラ５２、コントローラ５３が同じタイミングで駆動することになり、互いの処理速度を均一化させるためのバッファを用いなくても上述した処理とその処理の中断とが順次スムーズに行われる。
【００４０】
また、このような映像処理部５内での上述した処理とその処理の中断とが順次行われるタイミングに合わせて、中央制御部９からの制御信号により、受信部２による選局処理又は切替部４による入力切替処理が制御される。その選局処理や入力切替処理が行われている間では、中央制御部９からの制御信号により、コントローラ５３が検出手段５４によって検出された処理中断直前の垂直同期信号と、スケーラ５２によってデータ処理された処理中断直前の画像データとに基づき、上述した選局処理又は入力切替処理が完了するまで、ドライバ７１に対し液晶パネル７に処理中断直前のフレーム画像が表示されるようにコントロールする（ステップＳ４）。
【００４１】
これにより、選局処理又は入力切替処理が行われている期間であっても、液晶パネル７には処理中断直前の画像が表示されるため、ユーザに対し何ら意識させずにその選局処理又は入力切替処理が行われる。
【００４２】
そして、選局処理又は入力切替処理が完了すると（ステップＳ５）、中央制御部９から映像処理部５への制御信号がＯＦＦ状態になることを受けて、映像処理部５内のデコーダ５１、スケーラ５２、コントローラ５３が共通のクロックバッファＩＣ（図示せず）から送られるクロック信号を元に、順次映像処理を行うため、新たに送られてきた映像信号に対しての出力処理が再開される（ステップＳ６）。
【００４３】
このように、本実施形態では、中央制御部９により外部からの選局操作又は入力切替操作の指示に基づき、選局処理又は入力切替処理が行われるとともに、選局処理又は入力切替処理が完了するまでの間、映像処理部５に対し液晶パネル７によってたとえば選局操作又は入力切替操作が行われる直前のフレーム画像が表示されるような制御が行われるようにしたので、テレビジョン放送の選局操作時におけるブランキング期間や外部入力の入力切替操作時における入力切替期間でのミュート時間が長引いても、ユーザに対しその期間の長さを意識させてしまうことを抑制することができる。
【００４４】
なお、本実施形態では、選局操作時あるいは入力切替操作時に、選局操作あるいは入力切替操作直前の映像が表示されるようにした場合について説明したが、これに併せてバックライト１４の光量を徐々に減少又は増大させるような制御を行うようにしてもよい。この場合、選局操作あるいは入力切替操作直前の映像が一定時間静止表示されるとともに、その表示映像が視覚上変化することになるため、ユーザに対しその期間の長さを極力感じさせないようにすることができる。
【００４５】
また、選局操作あるいは入力切替操作に対する処理が完了して、液晶パネル７への新たな映像の出力処理が再開される直前に、一旦、予め記憶部１３等に記憶させておいた映像信号（たとえば単一色画面信号であり黒画面信号）を若干期間（１秒以内程度）表示させるようにしてもよい。このような映像信号に基づいた画像表示を行わせることで、ユーザの行った選局操作あるいは入力切替操作が完了したことを視覚的に伝達することができ、ユーザに選局操作あるいは入力切替操作が行われたということを認識させることが可能となる。
【００４６】
また、その単一色画面信号を一定期間表示する間に、それまで減光制御していたバックライト１４を選局操作あるいは入力切替操作前の状態の明るさに復帰させるようにしてもよい。それによって、新たなチャンネルが表示された初動時から一定の明るさで映像情報を視聴させることが可能となる。
【産業上の利用可能性】
【００４７】
画像表示のためのデータ処理を必要とするとともに、画像表示の切替が必要となる表示装置に適用可能である。
【図面の簡単な説明】
【００４８】
【図１】本発明に係る液晶表示装置の一実施形態の構成を示すブロック図である。
【図２】図１の液晶表示装置における映像処理部及び液晶パネルの詳細な構成の一例を示すブロック図である。
【図３】図１の液晶表示装置による液晶表示方法を説明するためのフローチャートである。
【符号の説明】
【００４９】
２  受信部
３  外部情報入力部
４  切替部
５  映像処理部
７  液晶パネル
９  中央制御部
１０  操作部
１１  受光部
１３  記憶部
１４  バックライト
１５  インバータ回路
５１  デコーダ
５２  スケーラ
５３  コントローラ
５４  検出手段
５５  同期分離回路
【図１】
2005303394.tif 000003
【図２】
2005303394.tif 000004
【図３】
2005303394.tif 000005